(57)【要約】【課題】同じ動作を繰り返すだけで、同じ動作を繰り返すだけで、支持脚のみによる支持で支持台を固定する固定状態とキャスターによって支持台を移動可能な状態とを順次切り換えることができるようにする。【解決手段】複数の支持脚３を有する支持台１において、上下移動可能に保持されたキャスター７を下端に有するキャスター部材８であって、前記キャスター７を下げて上げる毎に、キャスター７の上方移動を下方突出位置で規制する規制状態と該規制状態を解除する解除状態とに順次切り換わるキャスター部材８が、複数具備され、キャスター部材８は、前記キャスター７の下方突出位置が支持脚３の下端よりも下方位置になるように前記各支持脚３に対応して設けられている。【選択図】図１
0003101782.tif 000002
【実用新案登録請求の範囲】
【請求項１】
複数の支持脚を有する支持台において、
上下移動可能に保持されたキャスターを下端に有するキャスター部材であって、前記キャスターを下げて上げる毎に、キャスターの上方移動を下方突出位置で規制する規制状態と該規制状態を解除する解除状態とに順次切り換わるキャスター部材が、複数具備され、
キャスター部材は、前記キャスターの下方突出位置が支持脚の下端よりも下方位置になるように前記各支持脚に対応して設けられていることを特徴とする支持台。
【請求項２】
一の支持脚と他の支持脚とを連結する連結部材が設けられ、前記キャスター部材は、前記キャスターを下端に有する支持杆を備えると共に、前記連結部材との間で支持杆を上下移動自在に保持するカバー体を備えていることを特徴とする請求項１に記載の支持台。
【請求項３】
前記支持杆と連結部材との間に、キャスターの上方移動を下方突出位置で規制する規制状態と該規制状態を解除する解除状態とに順次切り換える切換機構が設けられていることを特徴とする請求項１または２に記載の支持台。
【請求項４】
連結部材は、一対の支持脚間と、他の一対の支持脚間とに設けられて対とされており、各連結部材を連結する桟が設けられていることを特徴とする請求項１から３のいずれかに記載の支持台。
【請求項５】
一の支持脚と他の支持脚とを連結する連結部材が設けられ、
前記キャスター部材は、前記キャスターを下端に有する支持杆と、該支持杆を上下移動自在に保持する保持ケースとを備え、
前記キャスター部材が、保持ケースを介して連結部材に設けられていることを特徴とする請求項１に記載の支持台。
【考案の詳細な説明】
【技術分野】
【０００１】
本考案は、キャスターを介して移動可能な支持台に関するものである。
【背景技術】
【０００２】
この種の従来技術としては、天板を支える脚支柱の下部に、キャスターを有する移動用の脚フレームと固定用の脚フレームを有するものがある（例えば実開昭６２−２４７５１号公報参照）。この従来技術では、固定用脚フレームが接床した状態で、キャスターによる移動を不能とするように固定し、この固定状態から脚支柱を引き上げることでこれに連動して固定用脚フレームを離床させ、前記固定状態を解除してキャスターによって移動可能となる状態に変更できるようにしていた。
【考案の開示】
【考案が解決しようとする課題】
【０００３】
しかし、従来技術では、キャスターによって移動可能な状態から再び固定状態にするには、離床された固定用脚フレームを接床させるために、引き上げられた脚支柱を再び下方に押し下げる動作が必要となり、支持台の固定と固定解除（移動可能な状態）とを異なる動作でしなければならず、この点で煩わしいものであった。
本考案は、上記問題点に鑑み、同じ動作を繰り返すだけで、支持脚のみによる支持で支持台を固定する固定状態とキャスターによって支持台を移動可能な状態とを順次切り換えることができるようにすることを目的とする。
【課題を解決するための手段】
【０００４】
この技術的課題を解決する本考案の技術的手段は、複数の支持脚３を有する支持台１において、上下移動可能に保持されたキャスター７を下端に有するキャスター部材８であって、前記キャスター７を下げて上げる毎に、キャスター７の上方移動を下方突出位置で規制する規制状態と該規制状態を解除する解除状態とに順次切り換わるキャスター部材８が、複数具備され、キャスター部材８は、前記キャスター７の下方突出位置が支持脚３の下端よりも下方位置になるように前記各支持脚３に対応して設けられている点にある。
また、本考案の他の技術的手段は、一の支持脚３と他の支持脚３とを連結する連結部材５が設けられ、前記キャスター部材８は、前記キャスター７を下端に有する支持杆９を備えると共に、前記連結部材５との間で支持杆９を上下移動自在に保持するカバー体１０を備えている点にある。
【０００５】
また、本考案の他の技術的手段は、前記支持杆９と連結部材５との間に、キャスター７の上方移動を下方突出位置で規制する規制状態と該規制状態を解除する解除状態とに順次切り換える切換機構１４が設けられている点にある。
また、本考案の他の技術的手段は、連結部材５は、一対の支持脚３間と、他の一対の支持脚３間とに設けられて対とされており、各連結部材５を連結する桟６が設けられている点にある。
また、本考案の他の技術的手段は、一の支持脚３と他の支持脚３とを連結する連結部材５が設けられ、前記キャスター部材８は、前記キャスター７を下端に有する支持杆９と、該支持杆９を上下移動自在に保持する保持ケースとを備え、前記キャスター部材８が、保持ケースを介して連結部材５に設けられている点にある。
【考案の効果】
【０００６】
本考案によれば、同じ動作を繰り返すだけで、固定状態とキャスターによる移動可能状態とを順次切り換えることができる。
【考案を実施するための最良の形態】
【０００７】
以下、本考案の実施の形態を図面に基づいて説明する。
図１乃至図５は本考案の一の実施形態を示している。図１乃至図５において、支持台１は、天板２の下面に複数（図例では４本）の支持脚３を設けたものを例示している。天板２は長方形状とされており、この天板２の下面には、左右の支持脚３間、前後の支持脚３間を補強する補強部材４が設けられている。
図１において、支持台１は、左右の支持脚３間を連結する連結部材５を備えている。連結部材５には、長方形状の金属板材の上部および下部を折返し状に折曲したものを用いている。この連結部材５は、支持脚３の下部に設けられ、前側の左右一対の支持脚３間と、後側の左右一対の支持脚３間とに設けられて前後対とされている。各連結部材５間は四角柱状の桟６によって連結されている。
【０００８】
連結部材５には、キャスター７を下端に有するキャスター部材８が設けられている。キャスター部材８は、前記各支持脚３に対応して複数（図例では４つ）設けられている。
キャスター部材８は、キャスター７を支持する支持杆９を備えており、キャスター７はこの支持杆９を介して上下移動自在となっている。
キャスター７は、連結部材５から下方に突出した状態で保持されており、その下方突出位置は、支持脚３が離床するように支持台１を持ち上げたり、下げたりすることで上下に変更される。
【０００９】
前記キャスター部材８は、支持杆９の上部側を覆うカバー体１０を備えている。図４に示すように、カバー体１０は、金属製の板材を折曲して形成され、その左右方向端部に左右方向突出状の鍔部１０ａを形成している。この鍔部１０ａは、連結部材５に対する取付部となっており、この取付部を連結部材５に対してボルト止めすることでカバー体１０を固定している。
前記連結部材５には、前記カバー体１０と係合してこのカバー体１０の位置決めをするとともに前記支持杆９をスライド自在にガイドするガイド部材１１が溶接等によって一体に設けられている。
【００１０】
支持杆９は、金属製で四角筒状とされており、連結部材５とカバー体１０との間で上下移動自在に保持されている。カバー体１０の内面には支持杆９を上下スライド自在にガイドするガイド突起１２が上下方向に沿ってに形成されている。一方、前記ガイド部材１１には、前記支持杆９が上下スライド自在に嵌合する凹部１３が上下方向に沿ってに形成されている。支持杆９は、前記ガイド突起１２および凹部１３によって挟まれることによって上下移動自在に保持されている。
支持台１は、支持脚３が離床するように持ち上げてその後に下げる動作を繰り返すことによって、キャスター７が支持脚３の下端よりも下方に突出して接床し移動可能になる移動可能状態と、この移動可能状態を解除して支持脚３によって安定的に固定する固定状態とを切換可能になっている。
【００１１】
前記移動可能状態では、支持脚３が離床するように支持台１を持ち上げたときにキャスター７が自重によって支持脚３の下端よりも下方に突出し、持ち上げた支持台１を下ろしたときにキャスター７の上方移動が規制（以下、規制状態という）されて支持脚３の下端よりも下方突出した位置で接床して支持台１を移動自在に支持するようになっている。
前記固定状態では、前記移動可能状態から支持台１を同じように持ち上げたときにキャスター７の上方移動の規制が解除（以下、解除状態という）され、キャスター７が上下移動自由の状態となっていて支持脚３とともに接床しており、支持脚３のみで支持するようになっている。
【００１２】
連結部材５とカバー体１０との間には、前記規制状態と解除状態とを順次切り換える切換機構１４が設けられている。
この切換機構１４は、支持杆９に固着された鉤状部材１５と、連結部材５に設けられていて前記鉤状部材１５と係合することで支持杆９の上下移動の規制、規制解除を行う規制部材１６とからなる。
前記規制部材１６は、長尺の板部材の長手方向両端部にＶ字状凹部１７を形成し、各Ｖ字状凹部１７を挟んで対の突起部１８を形成している。各突起部１８の先端は半円形で横方向に突出して形成されている。規制部材１６はその中央部が前記連結部材５（ガイド部材１１）に枢着されている。
【００１３】
前記鉤状部材１５の上部は、鉤状となっていて先端部１９が下方突出状に形成されている。鉤状部材１５の長手方向中途部には、前記規制部材１６のＶ字状凹部１７に当接して支持杆９の上方移動が規制される被規制部２０が形成されている。鉤状部材１５の下部は、上下方向に沿って直線状に形成されている。
図５を参照して切換機構１４における規制状態と解除状態の切換作用を説明する。
図５（ａ）は、キャスター７の上下移動規制が解除された状態を示しており、この状態では、規制部材１６は各Ｖ字状凹部１７が上下方向を向いた状態で、左側の突起部１８の先端が、鉤状部材１５の下部の直線部分に当接している。この状態では、支持脚３とキャスター７が接床しているが、キャスター７は上下移動自由であるので、支持脚３のみで支持台１を支持すること（固定状態）になり、これによって支持台１を安定した状態で使用できるようになっている。
【００１４】
図５（ｂ）は、図５（ａ）の状態から支持脚３が離床するように支持台１を持ち上げた状態を示しており、支持脚３が離床するとキャスター７は、その自重により下方に突出し、その下方突出位置がこの支持脚３の下端よりも下方に位置することになる。このようなキャスター７の下方移動に伴って、前記支持杆９に設けられた鉤状部材１５も下方に移動し、これによって、鉤状部材１５の先端部１９が前記規制部材１６のＶ字状凹部１７の側面上部に当接する。そして、鉤状部材１５の先端部１９は、このＶ字状凹部１７の側面に対して摺動しながら更に下方に移動し、これに伴って前記規制部材１６は時計回りに所定角度回動して、上下方向に対して傾斜した状態になる。この傾斜状態では、前記鉤状部材１５の先端部１９がＶ字状凹部１７の底部に位置しており、規制部材１６は、前記鉤状部材１５の先端部１９によって、それ以上回動しないように規制され、一方、支持杆９は、前記鉤状部材１５の先端部１９がＶ字状凹部１７に掛止されることで、下方移動を規制される。
【００１５】
この図５（ｂ）の状態から持ち上げた支持台１を下げていくと、キャスター７が支持脚３よりも先に接床する。キャスター７が接床することによって、支持杆９は上方にやや後退し、図５（ｃ）に示すように、被規制部２０が規制部材１６の下側のＶ字状凹部１７に嵌合して上方への移動が規制され、キャスター７が固定される。このとき、キャスター７の下方突出位置は、支持脚３の下端よりも下方になっている。したがって、支持台１はキャスター７のみで支持されることになり、支持台１は、キャスター７を介して移動可能な状態になる。
【００１６】
この図５（ｃ）の状態から再び支持台１を持ち上げると、キャスター７は再び下方に突出していき、これに伴って鉤状部材１５の先端部１９が規制部材１６の側部に当接する。この当接状態から鉤状部材１５の先端部１９が下方に移動することにより、規制部材１６は所定角度回動して、図５（ｄ）に示すように、図５（ｂ）の傾斜状態よりも更に時計回りに傾斜した状態となる。前記鉤状部材１５の先端部１９は規制部材１６の側部と当接し、これによって支持杆９は下方移動が規制された状態になる。
図５（ｄ）の状態から再び支持台１を下げると、キャスター７が支持脚３よりも先に接床し、上方の連結部材５内に後退していく。この後退の途中で前記被規制部２０が規制部材１６の側部に当接しこの規制部材１６を時計回りに回動させながら、さらに上方に後退する。このとき、被規制部２０は規制部材１６のＶ字状凹部１７に嵌らず、規制部材１６の回動によって図５（ｃ）の下方移動規制が解除される。このまま支持台１を床に置くと支持脚３が接床し、再び図５（ａ）の状態となるのである。
【００１７】
上記の実施形態によれば、固定状態と移動可能状態との切り換えを、支持台１を持ち上げて下げるという単一の動作を繰り返すだけで楽にできる。
また、支持脚３間に連結部材５を設け、この連結部材５とカバー体１０との間で、支持杆９を上下移動自在に保持することによって、支持脚３間を連結部材５によって補強でき、しかも支持杆９を介してキャスター７を確実に上下移動させることができる。
支持杆９と連結部材５との間に、規制状態と解除状態を切り換える切換機構１４が設けられているので、支持台１の持ち上げ下ろしに伴って確実に規制状態と解除状態を切り換えることができるようになる。また、連結部材５同士を桟６で連結することにより、支持台１の下部が補強されて強度が向上することになる。
【００１８】
図６、図７は本考案の他の実施形態を示している。
この実施形態では、キャスター部材８は、支持杆９を上下移動自在に保持する保持ケースを備えており、この点が図１乃至図５の実施形態と異なる。保持ケース２１は、第１カバー体２２と第２カバー体２３を有している。第１カバー体２２と第２カバー体２３の左右縁部を互いに接合して溶接等によって一体に形成している。第１カバー体２２と第２カバー体２３とを接合した接合部２４は、連結部材５に対する取付部となっており、この取付部をボルト止めによって連結部材５に対して固定できるうにしている。前記第１カバー体は、図１乃至図５の実施形態で説明したカバー体１０と同様の構成である。また、第２カバー体２３の内面には前記ガイド部材１１が設けられており、このガイド部材１１は前記規制部材１６を枢支している。その他の点は、上記の実施形態と同様の構成である。
【００１９】
このように、キャスター部材８をユニット化することによって、キャスター部材８を予め別個に用意しておいて、種々のタイプの支持台１に対して装着することが可能になり、この点で汎用性の良いものとなる。
なお、本考案は上記した実施の形態に限らず、種々の変更が可能である。
すなわち、支持脚３は、実施例では４本であったが、この支持脚３を４本よりも多く設けてもよい。支持脚３を天板２に奇数本設けてもよい。天板２は、長方形状に限らず、円形その他の形状であってもよい。支持杆９は、四角筒状に限らず、多角筒状、円筒状等種々の形状のものを用いても良い。
【図面の簡単な説明】
【００２０】
【図１】支持台１の正面図である。
【図２】支持台１の側面図である。
【図３】支持台１の平面図である。
【図４】図１のＡ−Ａ矢示線断面図である。
【図５】支持杆９のロック・ロック解除を説明する正面断面図である。
【図６】ユニット化したキャスター部材を示す正面図である。
【図７】図６のＢ−Ｂ矢示線断面図である。
【符号の説明】
【００２１】
１    支持台
３    支持脚
５    連結部材
６    桟
７    キャスター
８    キャスター部材
９    支持杆
１０  カバー体
１４  切換機構
２１  保持ケース
【図１】
0003101782.tif 000003
【図２】
0003101782.tif 000004
【図３】
0003101782.tif 000005
【図４】
0003101782.tif 000006
【図５】
0003101782.tif 000007
【図６】
0003101782.tif 000008
【図７】
0003101782.tif 000009